(57)【要約】【目的】口に含んで顔の筋肉運動をすることにより顔の筋肉の衰えを防止し、食べることも可能な美顔用マウスピースを提供する。【構成】細長の本体１の両端部に口に含んだ時に歯茎と頬の内側に位置するような隆起した頬当て部２、３を備え、この頬当て部２、３上にパッド材６、７を付着せしめ、前記本体１とパッド材６、７を食べることが可能な弾力性の食品用ゲル素材から形成する。【選択図】　　　図１
2004081414.tif 000002
【特許請求の範囲】
【請求項１】
両端部が歯茎と頬の内側に位置するような頬当て部と、これら両頬当て部を連結する連結部とからなり、弾力性の食品素材からなることを特徴とする美顔用マウスピース。
【請求項２】
前記食品素材は、菓子用のゼラチン、寒天、コンニャク、マンナン、グミ等のゲル状素材の少なくとも一種からなることを特徴とする請求項１の美顔用マウスピース。
【請求項３】
前記頬当て部は、連結部から隆起しており、この隆起部に他の素材と異なる素材を設けることを特徴とする請求項１又は２記載の美顔用マウスピース。
【発明の詳細な説明】
【０００１】
【発明の属する技術分野】
本発明は、顔面の筋肉を鍛えて顔の皺、たるみを取るための美顔用マウスピースに関する。
【０００２】
【従来の技術と発明の課題】
女性にとっての顔の皺、たるみの悩みは加齢とともに避けられないことである。
【０００３】
従来、若さを得る手段として整形手術やコラーゲンその他異物を顔に注入するプチ整形があるが、これらの手段は家庭の主婦にとって相当勇気のいることで、後遺症の心配や経済的な問題もあり、簡単に実行できるものではない。
【０００４】
また、顔をマッサージする方法や顔やせの他の器具が種々販売されているが、高価であり、更に使用法が面倒である。
【０００５】
比較的簡単に使用できるものとして細い棒の両先端にＹ字形の部材を付着したものを口唇に挟んで口を左右に開閉させながら頬のたるみを解消するための器具等も販売されているが、このものは、頬や口元の一部を鍛えるだけでどうかすると口元を引き寄せることでかえって縦皺が寄る原因ともなっている。
【０００６】
そこで、本発明は口に含んで顔の筋肉運動をすることにより顔の筋肉の衰えをストップさせ、顔全体や喉元のたるみまで解消し小顔を作り、更に食べることによりダイエットにも効果のあるような美顔用マウスピースを提供することを目的とする。
【０００７】
【課題を解決するための手段】
本発明は、両端部が歯茎と頬の内側に位置するような頬当て部と、これら両頬当て部を連結する連結部とからなり、弾力性の食品素材からなることを特徴とする。
【０００８】
前記食品素材は、ゼラチン、寒天、コンニャク、マンナン、グミ等のゲル状素材から形成するのが好ましく、また頬当て部を隆起させその部分にグミ等本体素材と異なる素材を付着せしめてもよい。
【０００９】
【実施の態様】
以下、図面を参照して本発明の実施形態について説明する。
【００１０】
図１、２、３において、本発明のマウスピースＭは、細長の本体１を有し、この本体１はその両端部に頬当て部２、３を有し、この両頬当て部２、３は連結部４によって連結されている。この連結部４の中央部には、軽量化のための細長穴５が設けられている。前記両頬当て部２、３は図３に示すように連結部４の両端から隆起しており、この隆起部には頬の内側に当接するパッド材６、７が付着されている。そして、前記両頬当て部２、３の裏面には、図２に示すように軽量化のための凹み８、９が形成されている。
【００１１】
前記本体１は、菓子用のグミ、コンニャク、マンナン、ゼラチン、寒天等の弾力性のゲル状食品素材からなり、前記パッド材６、７は本体１とは異なる食品素材からなっており、例えば本体１がマンナンで形成され、パッド素材６、７がグミで形成される。このマウスピースＭは、使用時には、図４に示すよう頬の内側と歯茎との間にそってあてがい口いっぱいに含み頬を大きく膨らませる（歯医者やスポーツ選手用マウスピースは上下の歯に挟んで噛みしめながら使用するもので、この考案のマウスピースとは用途が異なる。）。そして、そのままの状体で頬全体に力を込め内側に引きしめ、また緩めて戻す。これを繰り返すことで顔面全体の筋肉、並びに喉元の筋肉までが簡単に鍛えられ、また顔を動かす事で血流も良くなる。喉元にある唾液腺にも刺激を与えるため唾の出が良く（唾が多く出るのは若さの秘密と昔から言われている）生き生きとした張りのある美肌作りの素になる。毎日続けて使用することでその効果は著しいものがある。
【００１２】
このマウスピース（美容補助用具）は厚生省認可の食品素材を使用し形作るため顔の筋肉運動に使用後は食べるダイエット食品として利用できる（体に良い素材として、ゼラチンには若さの素となるコラーゲンが、寒天には食物繊維、ヨードなどたっぷり含まれているものがある。）。弾力性とモチモチ感もあり歯ごたえ十分の素材を使用しているので食事の前に用いると特に大きな効果が得られる。
【００１３】
ダイエッターの痩せられない原因にカロリーの摂り過ぎがあるが、太っている人は往々にして　１）早食い　２）大食い　３）甘い物好きなど分かっていながら止められないのが現実であり、無理に制限するとストレスがたまり、常にダイエットとリバウンドの繰り返しの悪循環となり自分に生きる自信すら持てない人が大勢いる。
【００１４】
現に薬によるダイエットで死亡者や肝機能障害で入院する人が出て社会問題までなっている今、このマウスピースは甘い物を食べたい欲求や飢餓感を少なくし、薬ではなく、自然に食べることで満足が得られるためのダイエットにも役立つ。
【００１５】
このマウスピースに少量の甘味をつけカロリーも少なめに加工し、食事前や甘いものが欲しい時に自由に口に含みゆっくり咀嚼することになるので気持ちが落ち着き、飲み込むまでの噛む回数も多いため脳内の満腹中枢を刺激し自然に食事の量が少なくなりイライラ感もなくダイエットも可能になる（咀嚼回数を得るためスルメなども良いと言われているがこれも長続きは難しい）。また、口に含んだ時に弾力性があるため歯茎をマッサージし歯肉炎の予防効果にもなる。ゼラチン、寒天、マンナンなどが原材料のため口腔内を痛める心配もない。
【００１６】
更に、マウスピースにはいろいろの味を添加し、口に含んでも食べても楽しめるようにしてもよい。
【００１７】
例えば、ゼラチン（肌や髪、爪などを美しくするコラーゲン精製、無脂肪の蛋白質）、リンゴ（ペクチン→便秘解消）、緑茶（カテキン→抗酸化、ポリフェノール）赤ワイン（抗酸化→ポリフェノール）、チョコレート、ココア（鎮静、抗酸化→ポリフェノール）、マンナン（繊維質が豊富→満腹感と便秘解消）、その他ドクダミ、ビムネバ等を添加してもよい。
【００１８】
【発明の効果】
本発明は以上のように構成したので、天然自然の体に良い素材を用いて健康的な美肌とスッキリ小顔を得て、更にダイエット効果もある優れた美容補助用具を提供できる。
【図面の簡単な説明】
【図１】本発明の美顔用マウスピースの斜視図である。
【図２】本発明の美顔用マウスピースの裏面図である。
【図３】本発明の美顔用マウスピースの側面図である。
【図４】本発明の美顔用マウスピースの使用状態説明図である。
【符号の説明】
１…本体
２、３…頬当て部
４…連結部
６、７…パッド材
【図１】
2004081414.tif 000003
【図２】
2004081414.tif 000004
【図３】
2004081414.tif 000005
【図４】
2004081414.tif 000006